(57)【特許請求の範囲】
【請求項１】
濾層、フィルター、多孔板、および口金を順次配置してなる溶融紡糸用パックにおいて、前記多孔板はポリマを通過させる複数の貫通孔を有し、該貫通孔が、ポリマ導入口側では、導入口面の中心からｎ個（ｎ≧２）の同心円Ａ１、Ａ２、Ａ３、・・・、Ａｎの円周上にそれぞれ複数配設され、かつポリマ排出口側では、排出口面の中心からｍ個（ｍ≧１）の同心円Ｂ１、Ｂ２、Ｂ３、・・・、Ｂｍの円周上にそれぞれ複数配設され、ポリマ排出口面の一つの円周上に配設された隣接する貫通孔は、ポリマ導入口面の異なる円周上に通じ、該貫通孔を通過したポリマは多孔板直下のポリマ溜めに排した後、口金に移送することを特徴とする溶融紡糸用パック。
【請求項２】
多孔板の導入口面の同心円数（ｎ）と排出口面の同心円数（ｍ）が、ｎ＞ｍ  であることを特徴する請求項１に記載の溶融紡糸用パック。
【請求項３】
多孔板の排出口面の同心円数（ｍ）が１であることを特徴する請求項１または２に記載の溶融紡糸用パック。
【発明の詳細な説明】
【技術分野】
【０００１】
本発明は熱可塑性樹脂を溶融紡糸する繊維の製造工程に用いられる溶融紡糸用パックに関するものである。さらに詳しくは、溶融ポリマが熱履歴差によって生じる粘度ムラを均質化して口金吐出孔に供給し、均一な品質で良好な製糸性を得ることを可能とした溶融紡糸用パックに関するものである。
【背景技術】
【０００２】
一般に熱可塑性樹脂を溶融紡糸する繊維の製造に関しては、原料であるチップを押出機で溶融混練し原料ポリマとなし、配管を経由して溶融紡糸用パックに導く。導入されたポリマは異物を除去するための濾材・フィルターから成る濾層を通り、多孔板にて分配されポリマを口金の吐出孔から紡糸して繊維を得る。
【０００３】
熱可塑性ポリマは３００℃前後の高温で紡糸されるため、当然ながらその熱履歴により品質にムラが生じる。この熱履歴による品質ムラは、高粘度ポリマであれば高温での紡糸（例えば高強力を得るための高粘度ポリマ）が必須となり、また吐出量が少ないほど溶融から吐出までの滞留時間（例えば細繊度のモノフィラメント）が長くなる。当然ながらこれらの品種は熱履歴差による熱劣化が生じて品質ムラが拡大され、さらにポリマの流れの悪い場合は異常滞留部、等々により品質ムラが助長・増幅される。
ポリマの劣化を最小限に抑え、高品質で製糸性が良好な溶融紡糸用パックに関しては従来から種々の検討がなされてきている。
【０００４】
例えば、特許文献１には、溶融紡糸用パック内のポリマの劣化、滞留部を抑えることで糸切れを減少させ、溶融紡糸用パックの交換周期を長くする技術が開示されている。
これは、溶融紡糸用パック内の溶融ポリマを混合するために複数の円筒形ポリマ通路が配置された混合ブロックを用いており、複数のポリマ通路が混合ブロックの中心線より単一円周上に等間隔で配置された構成となっている。
【０００５】
しかしながら、このように全ての円筒形のポリマ通路は中心線から同一距離となっている構成では、熱履歴差により生じた粘度ムラのあるポリマの混合効果は不十分である。
【０００６】
また、特許文献２には、上部口金、下部口金の２枚構成からなる口金において、ポリマ流入孔の数が吐出孔の数の２以上からのポリマがポリマ移行流路により集められ吐出孔に流入される口金技術が開示されている。これは、口金におけるポリマ滞留部を特定し、これを減少するために多数の孔を穿設したもので、１つの口金から２糸条（例えば口金左側から総繊度２５ｄｔｅｘ、単糸数３本の繊維を紡糸し、かつ口金右側から同じ総繊度、同じ単糸数の繊維を紡糸）の繊維を紡糸し、生産性を上げるには、それなりの効果は認められるが、微少な熱履歴差による粘度ムラを均一化するには大きな効果は得られない。
【０００７】
熱可塑性樹脂を溶融紡糸する繊維の製造工程において、ポリマの紡糸配管、特に紡糸パック・口金内に熱履歴差による粘度ムラが生じると流動性が均一で無くなる。これらの粘度ムラを有するポリマが糸条に混入すると微少な粘度ムラであっても糸条は極めて細いために、品質ムラを生じ、紡糸時の糸切れを誘発することになる。このようなポリマ粘度ムラを軽減、解消すべく種々の検討がなされてきたが未だ満足の出来る状況に至っていないのが現状である。
【０００８】
近年、とりわけモノフィラメントの細繊度化、高強力化、高品質化の要求が益々高くなってきている。これらの要求を満足する、品質が均一で、良好な製糸性の得られる技術が待ち望まれていた。
【先行技術文献】
【特許文献】
【０００９】
【特許文献１】特開２００８−３８２７８号公報
【特許文献２】実開昭６０−９７７７８号公報
【発明の概要】
【発明が解決しようとする課題】
【００１０】
本発明は、従来技術の課題を解決するために、鋭意検討した結果、本発明に達したものである。すなわち、本発明の目的は、溶融ポリマが熱履歴差によって生じる粘度ムラを均質化して口金吐出孔に供給し、均一な品質で、良好な製糸性とすることを可能とした溶融紡糸用パックを提供することにある。
【課題を解決するための手段】
【００１１】
すなわち、本発明は、以下の構成からなる。
１．濾層、フィルター、多孔板、および口金を順次配置してなる溶融紡糸用パックにおいて、前記多孔板はポリマを通過させる複数の貫通孔を有し、該貫通孔が、ポリマ導入口側では、導入口面の中心からｎ個（ｎ≧２）の同心円Ａ１、Ａ２、Ａ３、・・・、Ａｎの円周上にそれぞれ複数配設され、かつポリマ排出口側では、排出口面の中心からｍ個（ｍ≧１）の同心円Ｂ１、Ｂ２、Ｂ３、・・・、Ｂｍの円周上にそれぞれ複数配設され、ポリマ排出口面の一つの円周上に配設された隣接する貫通孔は、ポリマ導入口面の異なる円周上に通じ、該貫通孔を通過したポリマは多孔板直下のポリマ溜めに排した後、口金に移送することを特徴とする溶融紡糸用パック。
２．多孔板の導入口面の同心円数（ｎ）と排出口面の同心円数（ｍ）が、ｎ＞ｍ  であることを特徴する請求項１に記載の溶融紡糸用パック。
３．多孔板の排出口面の同心円数（ｍ）が１であることを特徴する請求項１または２に記載の溶融紡糸用パック。
【発明の効果】
【００１２】
本発明の溶融紡糸用パックは、多孔板のポリマ排出口面において、異なる熱履歴のポリマを隣接した排出口から排出させることで、排出されたポリマをポリマ溜めから口金導入口に至る間にポリマを均一に混合させることができる。本発明はこのような構成とすることでポリマの流体挙動に依存せず、確実に均一な混合が可能となる。
【００１３】
本発明のこのような多孔板を組み込んだ溶融紡糸用パックを用いることで、溶融ポリマの熱履歴差によって生じる粘度ムラを解消し、溶融ポリマを均質化して口金吐出孔に供給でき、均質性に優れた製糸性良好な糸条を安定して得ることが可能となる。
【図面の簡単な説明】
【００１４】
【図１】図１は、本発明の溶融紡糸用パックの一態様例を示す模式図である。
【図２】図２は、本発明の多孔板の貫通孔、導入口、排出口を説明するための模式図である。
【図３】図３は、導入口面の同心円数（ｎ）と排出口面の同心円数（ｍ）が、ｎ＞ｍの模式図であり、かつｍ＝１の模式図である。
【発明を実施するための形態】
【００１５】
次に、本発明の実施形態を、図を参照しながら詳細に説明する。
図１は本発明の溶融紡糸用パックの一態様例を示す模式図、図２は本発明の多孔板の貫通孔、導入口、排出口を説明するための模式図、図３は導入口面の同心円数（ｎ）と排出口面の同心円数（ｍ）が、ｎ＞ｍの模式図であり、かつｍ＝１の模式図である。
【００１６】
図１において、１は溶融紡糸用パックの概略構成図であり、２は溶融ポリマ供給口、３は濾層部、４はフィルター、５は多孔板、６は貫通孔、７はポリマ溜め、８は口金、９は導入口、１０は排出口である。
【００１７】
ポリマの流れを簡単に説明する。パック部に供給されたポリマは、供給口２から不純物を濾過するため微細なサンドで構成された濾層部３を通過する。さらに、サンド層では捕獲できずに通過した不純物をフィルター４で最終的に捕捉する。クリーンになったポリマは多孔板５に送られる。ここでポリマは多孔板５に複数穿設された貫通孔６の導入口９から排出口１０へ通過する。多孔板５を通過したポリマは、ポリマ溜め７に一旦集められた後、口金８へと導かれる。
【００１８】
図２は多孔板５に配設された貫通孔６の導入口９と排出口１０を判りやすくするために示した模式図である。図の上方が導入口面、下方が排出口面を示す。Ａ１，Ａ２・・・Ａｎは導入口が配設されている円周を示す。Ｂ１，Ｂ２・・・Ｂｍは排出口が配設されている円周を示す。９の導入口が穿設されている円周の配列数ｎと、１０の排出口が穿設されている円周の配列数ｍとの関係は、同数でもよいが、ｎ＞ｍ  とすることで、以下詳述するようにその効果をより発揮するものである。
以下、図２を用いてポリマの流れと混合状態を詳細に説明する。
【００１９】
濾過部およびフィルターを通過したポリマは、多孔板の中心からｎ個（ｎ≧２）のＡ１、Ａ２・・・、Ａｎなる円周上に配設されている貫通孔の導入口（Ａ１−１、Ａ１−２、・・・Ａｎ−３、・・・）に導かれる。そして、ポリマは、中心からｍ個（ｍ≧１）のＢ１、・・・、Ｂｍなる円周上に配設されている貫通孔の排出口（Ｂ１−１、Ｂ１−２、Ｂ１−３・・・）へと流れる。
ここで排出口面の一つの円周Ｂ１上に配設された隣接する排出口Ｂ１−１、Ｂ１−２、Ｂ１−３は、それぞれ導入口面の円周の異なる導入口Ａ２−１、Ａ１−２、Ａｎ−３に通じている（この場合のｎは１、２ではない）。このように、ポリマは導入口面の相異なる円周上の列から、排出口面の１つの円周上に隣合うように配設された排出口に流れた後、ポリマ溜めで合流し、口金に導かれることにより溶融ポリマは強制的に混合され、熱履歴差によって生じた粘度ムラはこの混合により大きく軽減されることになる。導入口が配設されている円周の数ｎと排出口が配設されている円周の数ｍは同数でもよいが、ｎ＞ｍであると排出口面の１つの円周上に、より多くの吐出口が配設されることになり、混合がより効果的となるため好ましい。更には、ｍ＝１が好ましい
以上、詳細に説明したとおり、導入口面の中心からそれぞれ離れた位置に配設された円周上のポリマは、それぞれが、微妙に熱履歴差を生じていることになる。本発明では、多孔板の中心から近い位置のポリマと遠い位置のポリマを、排出口面で強制的に合流・混合させ、かつ、導入口が配設されている円周の数を多く、排出口が配設されている円周の数を少なくすることで、ポリマの混合をより促進して理想的な状態に近づけたものである。このように均質化されたポリマを口金に移送ることで粘度ムラが少なく、品質、製糸性の良好な繊維が得られることになるのである。
【００２０】
図３は、多孔板の排出口が配設されている円周の数を１とした模式図である。これは、ポリマの吐出量が少なく、かつ、高粘度で高強力・高品質が要求される繊維用途に特に好ましく用いられる。
【００２１】
図３からも明らかなように、導入口面の複数の円周Ａ１、Ａ２・・・Ａｎから貫通孔を通過したポリマは、排出口面の１つの円周Ｂ１上に排出される。当然ながら導入口面の円周の異なる導入口からのポリマのみが、排出口では隣同士になることが許される貫通孔配置となっている。このような構成とすることで、吐出量が少なく、高粘度で高い強力・高品質の要求を満たす繊維とすることが可能となるのである。
【００２２】
本発明に用いられる熱可塑性樹脂としては、溶融紡糸可能な熱可塑性樹脂であれば特に
限定されない。例えば、ポリエチレンテレフタレート、ポリトリメチレンテレフタレート、ポリブチレンテレフタレート、ポリ乳酸、ポリエチレンナフタレート、などに代表されるポリエステル、ナイロン６、ナイロン６６などに代表されるポリアミド、ポリフェニレンサルファイドなどを例示することができる。その中でも特に、本発明の溶融紡糸用パックは、ポリエチレンテレフタレートを主成分とするポリエステル繊維の製造において良好な結果が得られる。前記熱可塑性樹脂には本発明の効果を損なわない限り共重合成分を加えてもよい。ポリエステル系の熱可塑性し樹脂の場合には共重合成分の例として、酸成分にはイソフタル酸、フタル酸、ジブロモテレフタル酸、ナフタリンジカルボン酸、ジフェニルキシエンタンカルボン酸、オキシエトキシ安息香酸等の二官能性芳香族カルボン酸、セバシン酸、アジピン酸、シュウ酸等の二官能性脂肪族カルボン酸、シクロヘキサンジカルボン酸が挙げられる。グリコール成分にはプロパンジオール、ブタンジオール、ネオペンチルグリコール、ビスフェノールＡや、ポリエチレングリコール、ポリプロピレングリコールなどのポリオキシアルキレングリコールが挙げられる。さらに、添加物として酸化防止剤、制電剤、可塑剤、紫外線吸収剤、着色剤等を適宜添加してもよい。
【００２３】
本発明の溶融紡糸用パックを用いて、ポリエステル樹脂を紡糸する際の固有粘度（以下ＩＶと表記）は、高強度、高弾性の繊維を得ることが出来るので０．４以上が好ましく、更に好ましくは０．６以上である。一方、溶融紡糸における溶融ポリマの流動性という観点から１．４以下が好ましく、更に好ましくは１．２以下である。
【００２４】
多孔板の材質は特に限定されるものではないが、溶融温度および紡糸終了後にポリマが付着した多孔板を加水分解装置等で洗浄する際の温度（約４００℃）および紡糸中の濾過層にかかる圧力（約３０ＭＰａ）に耐えることができ、かつ錆の発生を抑制する観点で、ステンレスとすることが好ましい。
【００２５】
多孔板に穿設する貫通孔の寸法は特に限定されるものではないが、貫通孔は導入口面および排出口面の中心から複数個の同心円の円周上にそれぞれ複数配設されること、また貫通孔にポリマが通過する際に過剰な圧力損失を回避する観点から孔直径は１〜５ｍｍが好ましい。
また、導入口面および排出口面の中心から複数個の同心円の円周を設けるにあたり、導入口面の異なる熱履歴のポリマを隣接した排出口から排出する観点から、隣合う円周の直径の差は１〜４０ｍｍが好ましい。
【００２６】
また、導入口面および排出口面の中心から複数個の同心円の円周上にそれぞれ複数配設される貫通孔の数は、導入口面および排出口面のポリマの滞留部を少なくする観点で、多ければ多いほど好ましいのはいうまでもない。
【００２７】
次に一例として本発明を用いたポリエチレンテレフタレートモノフィラメントの製造方法について説明する。ポリエチレンテレフタレートモノフィラメントの製造工程は、主にポリエチレンテレフタレートを溶融させ、口金より吐出、冷却させた上、一定速度のローラで引き取る紡糸工程、引き取った未延伸糸を延伸・熱処理する延伸工程、延伸した糸条を巻き取る巻取工程、の３つに分かれる。
【００２８】
紡糸工程は公知の溶融紡糸方法を採用すればよく、押出機によって溶融させたポリエチレンテレフタレートを所望の繊度となるように計量ポンプを用いて本発明の溶融紡糸用パックに供給し糸条を吐出させる。溶融紡糸温度としてはポリエチレンテレフタレートを十分に溶融させ、かつ過度の熱付与による熱分解を抑制するという観点から２８０〜３１０℃とすることが好ましい。糸条の配向抑制、配向均一化を目的とし、吐出された糸条が冷却されるまでの部位に加熱筒を用いてもよい。加熱筒を使用する場合、加熱筒内雰囲気温度は２５０℃以上とすることが好ましい。加熱筒内雰囲気温度が２５０℃以上であれば加熱筒の効果が十分得られ、配向の抑制および均一化が可能となる。冷却方式はチムニーエアーによる冷却を採用することが好ましい。チムニーエアーによる冷却は、例えば糸条の走行方向に対して略直角方向かつ一方向から吹き付ける方式や糸条の走行と略直角方向かつ全周方向から吹き付ける方式を用いることができる。冷却した糸条をローラで引き取る前に、紡糸油剤を付与することが好ましい。紡糸油剤の組成は特に限定するものではないが、平滑性を向上し、製織時のスレ毛羽を抑制する観点から脂肪酸エステル系平滑剤を３０％以上含有する油剤を用いることが好ましい。また、油剤中にポリエーテル変性シリコーンを０．１〜５％程度添加すると、さらに平滑性が向上するため好ましい。油剤は水と混合・エマルション化し、給油ガイドやオイリングローラによって糸条に付与すればよい。その際の給油量は、延伸糸に対し油剤付着量が０．１〜１．０ｗｔ％とすれば平滑性が良好かつ、パッケージ形成の際の糸落ち、崩れが抑制されるため好ましい。給油した糸条は、好ましくは表面速度３００〜３０００ｍ／分の引取りローラで引取る。その後、一旦未延伸糸として巻き取ってから延伸する二工程法、そのまま延伸工程に給糸する直接紡糸延伸法のどちらを用いてもよい。
【００２９】
延伸工程では、均一延伸を目的に、糸条をガラス転移点以上に加熱するホットローラと、このホットローラよりも表面速度が速く、結晶化温度以上に加熱するホットローラに順次引き回し延伸を施す方法が好ましい。ホットローラの温度や延伸倍率は目標とする物性によって選択すればよい。例えば高強度、ハイモジュラスを求める場合、最終ローラの表面温度を好ましくは１２０℃以上、延伸倍率を３〜６倍とするのが好ましい。また、そのホットローラ間に、さらにホットローラを設置し、いわゆる多段延伸とすれば延伸均一性が向上するためより好ましい。多段延伸の場合、１段目の延伸倍率は総延伸倍率の０．６〜０．９倍とする。また、最終ホットローラから巻き取り部の間に冷ローラを設けてもよい。最終ホットローラよりも冷ローラの速度が速い場合、得られるモノフィラメントのモジュラスは高くなる。最終ホットローラよりも冷ローラの速度が遅い場合、得られるモノフィラメントのモジュラスは低下するが、湿熱収縮時の応力差が低減し、また製織時のスレ毛羽が発生しにくくなる。最終ホットローラと冷ローラとの速度差は、所望の特性に応じて調整すればよい。最終ホットローラの速度に対し、冷ロールの速度は−７〜２％であることが好ましい。
巻き取り工程では、延伸されたモノフィラメントを巻き取るが、所望のパッケージが得られれば、特に巻き取り方法については限定されるものではない。
【実施例】
【００３０】
以下本発明を実施例により詳細に説明する。なお、実施例中の評価は以下の方法に従った。
【００３１】
（１）固有粘度（ＩＶ）
２５℃の温度の純度９８％以上のｏ−クロロフェノール１０ｍＬ中に試料ポリマーを０．８ｇ溶かし、２５℃の温度にてオストワルド粘度計を用いて相対粘度ηｒを次式により求めた。この相対粘度ηｒを用いて、次式により固有粘度（ＩＶ）を算出した。
ηｒ＝η／η０＝（ｔ×ｄ）／（ｔ０×ｄ０）
固有粘度（ＩＶ）＝０．０２４２ηｒ＋０．２６３４
ここで、
・η：ポリマー溶液の粘度
・η０：ｏ−クロロフェノールの粘度
ｔ：溶液の落下時間（秒）
ｄ：溶液の密度（ｇ／ｃｍ３）
ｔ０：ｏ−クロロフェノールの落下時間（秒）
ｄ０：ｏ−クロロフェノールの密度（ｇ／ｃｍ３）
（２）繊度変動率Ｕ％（Ｈ）
ツエルベガーウースター社製ウースターテスターＵＴ−４ＣＸを用い、下記の測定条件にてｈａｌｆ  ｉｎｅｒｔ（Ｕ  ｈｉ  ％）を測定した。
【００３２】
給糸速度                              ：２００ｍ／分
測定糸長                              ：２００ｍ
Ｔｗｉｓｔｅｒ                        ：なし
Ｍｅａｒｓ．ｓｌｏｔ                  ：０．１８ｍｍ
次に本発明の溶融紡糸用パックを適用した結果を示す。
【００３３】
実施例１
常法によって重合およびペレット化した固有粘度（ＩＶ）＝０．８で酸化チタンを０．３ｗｔ％含有するポリエチレンテレフタレートをプレッシャメルタによって溶融させた。
【００３４】
その後、溶融したポリマを、２９３℃に保温されたスピンブロック内に設けた配管および所望のポリマ流量に計量する計量ポンプを通過させ、本発明の溶融紡糸用パックに導き糸条を紡出させた。
【００３５】
その後、糸条に対し冷却機を用いて略直角かつ１方向から２５℃のエアーを２０ｍ／分の風速で糸条に吹き付け、冷却固化させた。冷却固化された糸条に、オイリングロールにより紡糸油剤を延伸糸に対して０．３ｗｔ％となるように給油した。
【００３６】
油剤の成分は、公知の脂肪酸エステル系平滑剤５０ｗｔ％、水溶性ポリエーテル変性シリコーンをｗｔ１％、その他公知の金属磨耗剤、制電剤、界面活性剤からなる混合油剤を蒸留水に対して１０ｗｔ％の濃度でエマルション化したものである。
給油後の糸条はそのまま表面速度８００ｍ／分の引取ロールで引き取った後、一旦未延伸糸を巻き取った。
その後、給糸ロール、第１、第２、第３ホットロール、冷ロール、ドローツイスター型巻取り機からなる延伸機にて延伸、巻き取り、ポリエチレンテレフタレートモノフィラメントパッケージを得た。その際の詳細条件は以下の通りである。
第１ホットロール  ：温度９０℃、表面速度１３８ｍ／分
第２ホットロール  ：温度９０℃、表面速度４８４ｍ／分
第３ホットロール  ：温度１４０℃、表面速度６００ｍ／分
冷ロール  ：室温、表面速度６００ｍ／分
ドローツイスター  ：スピンドル回転数８０００ｒｐｍ、
本発明の溶融紡糸用パックは、濾過部の直径が５３．５ｍｍ、不織布フィルターを設け、多孔板の導入口が配設されている円周の数が３であり、その最も中心に近い第１列の円周直径１４ｍｍ上に導入口が８個、第２列の円周直径２７ｍｍ上に導入口が８個、第３列の円周直径４７ｍｍ上に導入口が１６個を配し、排出口が配設されている円周の数が１であり、円周直径３７ｍｍ上に、導入口の第１列に通じる排出口、第３列に通じる排出口、第２列に通じる排出口、第３列に通じる排出口、第１列に通じる排出口、・・・の順に合計３２個の排出口を配した。つまり円周上の異なる導入口からのポリマが、排出口では隣同士になることが許される貫通孔配置となっている。また貫通孔の直径は２．０ｍｍ、多孔板の材質はＳＵＳ４２０Ｊ２とした。ポリマ溜めの直径は３９ｍｍ、厚さ１．５ｍｍとし、口金は直径０．１５ｍｍの吐出孔を２個設けた。
【００３７】
粘度ムラによって生じる口金吐出孔直後での糸条の曲がりを目視と長焦点顕微鏡で確認した結果、曲がりは全く見られず、安定した吐出状態であった。６ｄｔｅｘのモノフィラメントを７２時間連続紡糸した結果、糸切れはなく良好な紡糸結果を得た。また、得られたモノフィラメントのＵ％（Ｈ）を測定した結果、０．８％以下であり良好なポリエステルモノフィラメントであった。
【００３８】
比較例１
多孔板の導入口が配設されている円周の数が３であり、その最も中心に近い第１列の円周直径１４ｍｍ上に導入口が６個、第２列の円周直径２７ｍｍ上に導入口が８個、第３列の円周直径４７ｍｍ上に導入口が１６個を配し、排出口が配設されている円周の数が３であり、その最も中心に近い第１列の円周直径１４ｍｍに排出口が６個、第２列の円周直径２７ｍｍ上に排出口が８個、第３列の円周直径３７ｍｍ上に排出口が１６個を配し、第１列の導入口は第１列の排出口に、第２列の導入口は第２列の排出口に、第３列の導入口は第３列の排出口に通じた貫通孔配置とした。それ以外は実施例と同様条件でポリエチレンテレフタレートモノフィラメント紡糸を行った。  
口金吐出孔直後の糸条の曲がりを目視と長焦点顕微鏡で確認した結果、粘度ムラによって生じる大きな曲がりが認められた。
【００３９】
すなわち、熱履歴を多く受けたポリマは粘度低下を起こし、そのために流速が速くなり、熱履歴の少ない高粘度で流速の遅いポリマを、圧力の解放された吐出孔後で流速差により押し曲げたものである。長手方向でも、断面方向でもポリマが不均質となっていることが窺える。その結果、６ｄｔｅｘのモノフィラメントを７２時間連続紡糸した結果、当然ながら糸切れが多発し、紡糸性は不良であった。また、得られたモノフィラメントＵ％（Ｈ）を測定した結果、１．３％以上と不良であり、精密フィルター用途に耐えられるポリエステルモノフィラメントではなかった。
【産業上の利用可能性】
【００４０】
本発明の多孔板を組み込んだ溶融紡糸用パックを用いることで、溶融ポリマの熱履歴差によって生じる粘度ムラを均質化して口金吐出孔に供給でき、品質の優れた製糸性良好な糸条を安定して得ることが可能となる。
【符号の説明】
【００４１】
１：溶融紡糸用パックの構成図  
２：溶融ポリマ供給口  
３：濾層部    
４：フィルター  
５：多孔板  
６：貫通孔  
７：ポリマ溜め  
８：口金    
９：多孔板導入口      
９−Ａ１：円周上の導入溝列番号と貫通孔番号
９−Ｂ１：同上
９−Ｃ１：同上
１０：多孔板排出口
１０−Ａ１：円周上の排出列番号と排出口番号
１０−Ｂ２：同上
１０−Ｂ３：同上
【図１】
0006578861.tif 000002
【図２】
0006578861.tif 000003
【図３】
0006578861.tif 000004